(57)【要約】【課題】  ドアに遮煙装置が設置されているエレベータにおいて、火災発生時にドアの開いた状態が継続しないように強制的に戸閉できるようにしたエレベータの制御装置を得る。【解決手段】  遮煙ドア装置が設置されているエレベータにおいて、ドア状態検出手段４と、ドア制御手段２と、発報制御手段３とを備え、火災発生時にドア状態検出手段４が異常故障を検出した時、発報制御手段３により警報を発しながらドア制御手段２によりドアを閉めるようにしたものである。【選択図】    図１
2005154133.tif 000002
【特許請求の範囲】
【請求項１】
エレベータに遮煙ドア装置が設置されているエレベータにおいて、
ドア状態検出手段と、
ドア制御手段と、
発報制御手段とを備え、
火災発生時にドア状態検出手段が異常故障を検出した時、発報制御手段により警報を発しながらドア制御手段によりドアを閉めることを特徴とするエレベータの制御装置。
【請求項２】
火災発生時にドア状態検出手段が戸開釦のＯＮ故障を検出した時、発報制御手段により警報ブザーを鳴動させながらドア制御手段によりドアを閉めることを特徴とする請求項１記載のエレベータの制御装置。
【請求項３】
火災発生時にドア状態検出手段がドア安全装置のＯＮ故障を検出した時、発報制御手段により警報ブザーを鳴動させながらドア制御手段によりドアを超低速で閉めることを特徴とする請求項１記載のエレベータの制御装置。
【請求項４】
エレベータに遮煙ドア装置が設置されているエレベータにおいて、
ドア状態検出手段と、
ドア制御手段と、
発報制御手段とを備え、
ドアのゴミ詰まりによる戸閉不能をドア状態検出手段を検出した時、発報制御手段により監視盤又は外部に警報を発報することを特徴とするエレベータの制御装置。
【発明の詳細な説明】
【技術分野】
【０００１】
この発明は、エレベータの制御装置に関するものである。
【背景技術】
【０００２】
従来のエレベータ装置においては、遮煙ドア装置により、火災発生時に煙りが昇降路内に入り、他の階まで広がることを防いでいた（例えば、特許文献１参照）。
【０００３】
【特許文献１】特開２００３−１２２５８号公報
【発明の開示】
【発明が解決しようとする課題】
【０００４】
従来のエレベータ装置では、何らかの異常によりドアを閉める事ができない場合、遮煙ができず、煙が他の階まで広がる事を防ぐことができない。例えば、戸開釦や戸の安全装置が動作している場合、戸を閉める事ができない。従って、戸開釦のＯＮ故障や戸の安全装置のＯＮ故障時に、ドアが開き続ける為、火災時に遮煙動作を行っても、開いているドアから煙りが昇降路内に入り、他の階まで広がることを防ぐ事ができないという問題があった。
【０００５】
この発明は、上述のような課題を解決するためになされたもので、エレベータのドアに遮煙装置が設置されているエレベータにおいて、火災発生時にドアの開いた状態が継続しないように強制的に戸閉できるようにしたエレベータの制御装置を提供するものである。
【課題を解決するための手段】
【０００６】
この発明に係るエレベータの制御装置においては、遮煙ドア装置が設置されているエレベータにおいて、ドア状態検出手段と、ドア制御手段と、発報制御手段とを備え、火災発生時にドア状態検出手段が異常故障を検出した時、発報制御手段により警報を発しながらドア制御手段によりドアを閉めるようにしたものである。
【発明の効果】
【０００７】
この発明は、遮煙ドア装置が設置されているエレベータにおいて、ドア状態検出手段と、ドア制御手段と、発報制御手段とを備え、火災発生時にドア状態検出手段が異常故障を検出した時、発報制御手段により警報を発しながらドア制御手段によりドアを閉めるようにしたので、火災時に戸開釦のＯＮ故障又はドア安全装置のＯＮ故障等によりドアが開き続ける状態をなくし、煙りが昇降路内に入り、他の階まで広がることを防止できる。
また、ドアのゴミ詰まりによりドアを閉める事ができない場合でも、警報ブザーを鳴動させ、戸閉不能を未然に防止する事で、火災時にドアが開き続ける状態をなくし、煙りが昇降路内に入り、他の階まで広がることを防止できる。
【発明を実施するための最良の形態】
【０００８】
実施の形態１．
図１はこの発明を実施するための実施の形態１におけるエレベータの制御装置を示す全体構成図、図２及び図３はエレベータのかごと遮煙ドア装置を示す平面図及び斜視図、図４はこの発明の実施の形態１におけるエレベータの制御装置の動作を説明するためのフローチャートである。
この実施の形態１におけるエレベータの制御装置は、エレベータの運行状態をエレベータ運転状態検出手段１で検出する。また、エレベータの制御装置は、ドア制御手段２、発報制御手段３、及びドア状態検出手段４を備えている。更にまた、エレベータの制御装置は、ドア位置検出装置９からドア位置を検出するドア位置検出手段５、ドア安全装置１０からのドアの安全装置の状態を検出するドア安全装置状態検出手段６、及び戸開釦１１からの戸開釦の動作状態を検出する戸開釦状態検出手段７を備えている。
エレベータ運転状態検出手段１で火災管制運転を検出した場合に、戸開釦１１のＯＮ故障、もしくは、ドアの安全装置１０のＯＮ故障を、ドア状態検出手段４で検出すると、ド
ア制御手段２によりドア１２を制御し、発報制御手段３により、かご内警報ブザー８を鳴
動させる。  
また、エレベータの運行状態に拘らず、ドア位置検出手段５でゴミ詰まり等によりドア１２を閉めることができない事を検出すると、発報制御手段３により、監視盤警報ブザー１３を鳴動、もしくは、外部の警報装置１４への発報を行う。
また、エレベータのかご及び遮煙ドア装置は図２及び図３に示すような構成であり、火災発生時に、遮煙ドア装置が閉じて、煙りが昇降路内に入って、他の階まで広がることを防止する構造である。
【０００９】
この発明の実施の形態１におけるエレベータの制御装置の具体的な動作について、図４により説明する。
火災が発生したかをステップＳ１で判断する。火災発生時でない場合は、ステップＳ２に進む。ステップＳ２で戸開釦もしくは戸の安全装置がＯＮしていない場合は、ステップＳ３に進む。ステップＳ３で戸閉動作中である場合は、ステップＳ４に進み、戸閉を開始してからゴミ詰まりなど何らかの原因で戸を閉める事ができず２分経過した場合は、ステップＳ２２に進む。ステップＳ２２で戸の開閉状態を判断し、戸全閉するまでステップＳ２３で監視盤の警報ブザーを鳴動する。ゴミ詰まりが除去されれば、戸閉し、戸全閉したらステップＳ２２からステップＳ５に進み、ステップＳ５で時間カウントをクリアする。ステップＳ４で戸閉を開始してから２分経過していない場合はステップＳ６に進み、時間カウントを更新する。ステップＳ２で戸開釦もしくは戸の安全装置がＯＮしている場合は、ステップＳ７に進み、時間カウントをクリアする。
【００１０】
次に、火災発生時はステップＳ１からステップＳ８に進む。ステップＳ８でかご内の呼び釦及び乗場の呼び釦を登録不能にし、ステップＳ９でエレベータのかごを避難階に戻す。ステップＳ１０で避難階にて停止したか、もしくは、避難階にて停止中の場合は、戸開する。そして、戸が全開したかをステップＳ１１にて判断する。戸が全開している場合は、ステップＳ１２に進む。ステップＳ１２で戸全開後に５秒経過した場合は、ステップＳ１３に進み、戸閉指令を出す。
次に、ステップＳ１４に進み、戸が全閉したかを判断する。ステップＳ１４で戸が全閉していない場合は、ステップＳ１５に進む。ステップＳ１５で戸開釦がＯＮしていれば、ステップＳ１６に進み、戸開釦のＯＮ状態が２分以上経過した場合は、ステップＳ２４に進む。ステップＳ２４で戸閉指令を出し、ステップＳ２５で戸の開閉状態を判断し、戸が全閉するまでステップＳ２６でかご内の警報ブザーを鳴動する。ステップＳ２５で戸が全閉したら、ステップＳ２１に進み、運転を休止する。
ステップＳ１５で戸開釦がＯＮしていない場合、もしくは、Ｓ１５で戸閉釦はＯＮしているがステップＳ１６で戸開釦のＯＮ状態が２分以上経過していない場合は、ステップＳ１７に進む。ステップＳ１７でドアの安全装置がＯＮしている場合は、ステップＳ１８に進み、ドアの安全装置のＯＮ状態が２分以上経過している場合は、ステップＳ２４に進む。ステップＳ２４で戸閉指令を出し、ステップＳ２５で戸の開閉状態を判断し、戸が全閉するまでステップＳ２６でかご内の警報ブザーを鳴動する。ステップＳ２５で戸が全閉したら、ステップＳ２１に進み、運転を休止する。
ステップＳ１７でドアの安全装置がＯＮしていない場合、もしくは、ステップＳ１７でドアの安全装置はＯＮしているがステップＳ１８でドアの安全装置のＯＮ状態が２分以上経過していない場合は、ステップＳ１９に進む。ステップＳ１９で戸開開始後２分以上経過している場合は、ステップＳ２０に進む。ステップＳ２０で戸開釦による戸開を無効とし、ステップＳ２４に進む。ステップＳ２４で戸閉指令を出し、ステップＳ２５で戸の開閉状態を判断し、戸が全閉するまでステップＳ２６でかご内の警報ブザーを鳴動する。ステップＳ２５で戸が全閉したら、ステップＳ２１に進み、運転を休止する。
ステップＳ１９で戸開開始後２分経過していない場合は、ステップＳ１１に戻り、戸が全閉するまで処理を繰返す。
ステップＳ１４で戸が全閉した場合は、ステップＳ２１に進み、運転を休止する。
上記の構成により、火災発生時の戸開釦１１やドア安全装置１０のＯＮ故障を検出する事により、戸が開いている場合でも、警報ブザー８を鳴動させる事で、乗客に戸が閉まる事を報知しながら戸を閉める事ができ、煙りが昇降路内に入り、他の階まで広がることを防止できる。
【００１１】
また、通常時においても、ゴミ詰まり等によりドアを閉める事ができなくなった場合に、監視盤の警報ブザー１３を鳴らし、戸閉不能を防止しておく事により、火災発生時に戸閉不能により煙りが昇降路内に入り、他の階まで広がることを防止できる。
【００１２】
なお、戸を閉める事を報知する手段として、警報ブザーによる報知で説明したが、アナウンス装置によるアナウンスや、表示装置による表示報知などを用いてもよい。  
【００１３】
実施の形態２．
この実施の形態２におけるエレベータの制御装置では、火災発生時にドア状態検出手段４がドア安全装置のＯＮ故障を検出した時、発報制御手段３によりかご内警報ブザー８を鳴動させながらドア制御手段２によりドア１２を超低速で閉めるようにしたものである。
【図面の簡単な説明】
【００１４】
【図１】この発明を実施するための実施の形態１におけるエレベータの制御装置を示す全体構成図である。
【図２（ａ）】エレベータのかごと遮煙ドア装置を示す平面図である。
【図２（ｂ）】エレベータのかごと遮煙ドア装置を示す平面図である。
【図２（ｃ）】エレベータのかごと遮煙ドア装置を示す平面図である。
【図２（ｄ）】エレベータのかごと遮煙ドア装置を示す平面図である。
【図２（ｅ）】エレベータのかごと遮煙ドア装置を示す平面図である。
【図３】エレベータのかごと遮煙ドア装置を示す斜視図である。
【図４】この発明の実施の形態１におけるエレベータの制御装置の動作を説明するためのフローチャートである。
【符号の説明】
【００１５】
１  エレベータ運転状態検出手段
２  ドア制御手段
３  発報制御手段
４  ドア状態検出手段
５  ドア位置検出手段
６  ドア安全装置状態検出手段
７  戸開釦状態検出手段
８  かご内警報ブザー
９  ドア位置検出装置
１０  ドア安全装置
１１  戸開釦
１２  ドア
１３  監視盤警報ブザー
１４  外部警報装置
【図１】
2005154133.tif 000003
【図２（ａ）】
2005154133.tif 000004
【図２（ｂ）】
2005154133.tif 000005
【図２（ｃ）】
2005154133.tif 000006
【図２（ｄ）】
2005154133.tif 000007
【図２（ｅ）】
2005154133.tif 000008
【図３】
2005154133.tif 000009
【図４】
2005154133.tif 000010